(57)【要約】【課題】パケット損失なしで、ステーションユーザにとって認識できる遅延なしで、及び／又は、セッション連続性の損失なしで、無線アクセスポイント間の無線ステーションのハンドオフを可能にすること。【解決手段】無線ステーションが第１のアクセスポイントの第１の無線エリアから第２のアクセスポイントの第２の無線エリアへ移動することに応答し、第１のアクセスポイントは第１の分配システムスイッチに接続され、第２のアクセスポイントは第２の分配システムスイッチに接続されている。これら第１及び第２の分配システムスイッチは、無線ローカルエリアネットワークの相互接続分配システムの一部であり、前記無線ステーションは、第１の分配システムスイッチに接続された第１の仮想ローカルエリアネットワークに対応し、この第１の仮想ローカルエリアネットワークを第２の分配システムスイッチにトンネリングする。【選択図】          図５Ｂ【特許請求の範囲】
【請求項１】
無線ローカルエリアネットワーク方法であって、
無線ステーションが、無線ローカルエリアネットワークにおいて、前記無線ローカルエリアネットワークの第１のアクセスポイントの第１の無線エリアから前記無線ローカルエリアネットワークの第２のアクセスポイントの第２の無線エリアへ移動することに応答し、
第１のアクセスポイントが無線ローカルエリアネットワークの第１の分配システムスイッチに接続され、かつ、第２のアクセスポイントが前記無線ローカルエリアネットワークの第２の分配システムスイッチに接続されており、前記第１の分配システムスイッチ及び前記第２の分配システムスイッチが少なくとも前記無線ローカルエリアネットワークの相互接続分配システムの一部であり、  前記無線ステーションが、少なくとも前記第１の分配システムスイッチに接続された、少なくとも第１の仮想ローカルエリアネットワークに対応している状態で、
無線ステーションが、無線ローカルエリアネットワーク内を、前記無線ローカルエリアネットワークの第１のアクセスポイントの第１の無線エリアから前記無線ローカルエリアネットワークの第２のアクセスポイントの第２の無線エリアへ移動することに応答し、
前記第１の仮想ローカルエリアネットワークを前記第２の分配システムスイッチへトンネリングする方法。
【請求項２】
請求項１に記載の方法であって、
前記無線ステーションが前記無線ローカルエリアネットワークの前記第１のアクセスポイントの前記第１の無線エリアから前記無線ローカルエリアネットワークの前記第２のアクセスポイントの前記第２無線エリアへ移動することに少なくとも一部先行して、前記第１の仮想ローカルエリアネットワークのデータを前記第１の分配システムスイッチ経由で前記無線ステーションに通知することをさらに含む方法。
【請求項３】
請求項１に記載の方法において、前記トンネリングは、
前記無線ステーションが前記無線ローカルエリアネットワークの前記第１のアクセスポイントの前記第１の無線エリカから前記無線ローカルエリアネットワークの前記第２のポイントの前記第２無線エリアへ移動するのより少なくとも一部後に、前記第１の仮想ローカルエリアネットワークのデータを前記第２の分配システムスイッチ経由で前記無線ステーションに通知することを含む方法。
【請求項４】
請求項２に記載の方法であって、
前記第１の仮想ローカルエリアネットワークのデータを前記第１の分配システムスイッチ経由で前記無線ステーションに通知することに少なくとも一部先行して、前記無線ステーションに対応するＡＡＡデータを生成することをさらに含む方法。
【請求項５】
請求項４に記載の方法であって、
前記無線ステーションに対応する前記ＡＡＡデータを前記第１の分配システムスイッチに蓄積することをさらに含む方法。
【請求項６】
請求項１に記載の方法であって、前記無線ステーションに対応するＡＡＡデータを前記第２分配システムスイッチへ転送することをさらに含む方法。
【請求項７】
請求項１に記載の方法において、トンネリングは、前記第１分配システムスイッチから前記第１仮想ローカルネットワークをトンネルすることを含む方法。
【請求項８】
請求項１に記載の方法において、トンネリングは、前記無線ローカルエリアネットワークの第３の分配システムスイッチから前記第１の仮想ローカルエリアネットワークをトンネルすることを含み、前記第３の分配システムスイッチは、前記無線ローカルエリアネットワークの前記相互接続された分配システムの少なくとも一部であり、前記第１の仮想ローカルエリアネットワークは少なくとも前記第３の分配システムスイッチに接続されたことを特徴とする方法。
【請求項９】
請求項１に記載の方法において、トンネリングは、レイヤー２仮想ローカルエリアネットワークデータのレイヤー３トンネリングを含む方法。
【請求項１０】
請求項１に記載の方法において、前記第２の分配システムスイッチへの前記第１の仮想ローカルエリアネットワークのトンネリングは、前記第２の分配システムスイッチが前記第１の仮想ローカルエリアネットワークに接続されていない場合に生じるようにする方法。
【請求項１１】
請求項１に記載の方法であって、
前記無線ステーションが前記無線ローカルエリアネットワーク内で前記無線ローカルエリアネットワークの前記第１のアクセスポイントの前記第１の無線エリアから前記無線ローカルエリアネットワークの前記第２のアクセスポイントの前記第２の無線エリアへ移動するのを探知することをさらに含む方法。
【請求項１２】
無線ローカルエリアネットワーク方法であって、  
第１のアクセスポイントが無線ローカルエリアネットワークの第１の分配システムスイッチに接続され、かつ、第２のアクセスポイントが前記無線ローカルエリアネットワークの第２の分配システムスイッチに接続されており、
前記第１の分配システムスイッチ及び前記第２の分配システムスイッチが少なくとも前記無線ローカルエリアネットワークの相互接続分配システムの一部であり、
無線ステーションが、少なくとも前記第１の分配システムスイッチ及び前記第２の分配システムスイッチに接続された、少なくとも第１の仮想ローカルエリアネットワークに対応する状態において、
無線ステーションが、無線ローカルエリアネットワークにおいて前記無線ローカルエリアネットワークの第１のアクセスポイントの第１の無線エリアから前記無線ローカルエリアネットワークの第２のアクセスポイントの第２の無線エリアへ移動することに応答し、
前記無線ステーションに対応するＡＡＡデータを前記第２の分配システムスイッチへ転送する方法。
【請求項１３】
請求項１２に記載の方法であって、
前記無線ステーションが前記無線ローカルエリアネットワークの前記第１のアクセスポイントの前記第１の無線エリアから前記無線ローカルエリアネットワークの前記第２のアクセスポイントの前記第２無線エリアへ移動することに少なくとも一部先行して、前記第１の仮想ローカルエリアネットワークのデータを前記第１の分配システムスイッチ経由で前記無線ステーションに通知することをさらに含む方法。
【請求項１４】
請求項１２に記載の方法であって、
前記無線ステーションが前記無線ローカルエリアネットワークの前記第１のアクセスポイントの前記第１の無線エリカから前記無線ローカルエリアネットワークの前記第２のポイントの前記第２無線エリアへ移動するのより少なくとも一部後に、前記第１の仮想ローカルエリアネットワークのデータを前記第２の分配システムスイッチ経由で前記無線ステーションに通知することをさらに含む方法。
【請求項１５】
請求項１２に記載の方法において、前記第１仮想ローカルエリアネットワークのデータを前記第２の分配システムスイッチ経由で前記無線ステーションへ通知することは、前記第１の仮想ローカルエリアネットワークのデータを前記第１の分配システムスイッチ経由で前記無線ステーションに通知することなく行われることを特徴とする方法。
【請求項１６】
請求項１３に記載の方法であって、
前記第１の仮想ローカルエリアネットワークのデータを前記第１の分配システムスイッチ経由で前記無線ステーションに通知することに少なくとも一部先行して、前記無線ステーションに対応するＡＡＡデータを生成することをさらに含む方法。
【請求項１７】
請求項１６に記載の方法であって、
前記無線ステーションに対応する前記ＡＡＡデータを、前記第１の分配システムスイッチに蓄積することをさらに含む方法。
【請求項１８】
請求項１２に記載の方法であって、
前記無線ステーションが前記無線ローカルエリアネットワーク内で前記無線ローカルエリアネットワークの前記第１のアクセスポイントの前記第１の無線エリアから前記無線ローカルエリアネットワークの前記第２のアクセスポイントの前記第２の無線エリアへ移動するのを探知することをさらに含む方法。
【請求項１９】
無線ローカルエリアネットワーク方法であって、
第１の分配システムスイッチ及び第２の分配システムスイッチが無線ローカルエリアネットワークの相互接続された分配システムの少なくとも一部である場合において、
無線ローカルエリアネットワークの第１の分配システムスイッチに接続された無線ローカルエリアネットワークの第１のアクセスポイント経由で第１の仮想ローカルエリアネットワークとの通信を試みる無線ステーションに応答して、
前記第１の分配システムスイッチが前記第１の仮想ローカルエリアネットワークに接続されていないことを認識し、
前記第２の分配システムスイッチが前記第１の仮想ローカルエリアネットワークに接続されていることを認識し、
前記第１の仮想ローカルエリアネットワークを、前記第２の分配システムスイッチから前記第１の分配システムスイッチへトンネリングする方法。
【請求項２０】
請求項１９に記載の方法であって、
前記トンネリングされた第１の仮想ローカルエリアネットワークのデータを前記第１の分配システムスイッチ経由で前記無線ステーションに通知することをさらに含む方法。
【請求項２１】
請求項１９に記載の方法であって、
前記無線ステーションが前記無線ローカルエリアネットワークの前記第１のアクセスポイント経由で前記第１の仮想ローカルエリアネットワークとの通信を試みることに応答して、前記無線ステーションに対応するＡＡＡデータを生成することをさらに含む方法。
【請求項２２】
請求項２１に記載の方法であって、
前記無線ステーションに対応するＡＡＡデータを、前記第１の分配システムスイッチから前記第２の分配システムスイッチへ通知することをさらに含む方法。
【請求項２３】
請求項２２に記載の方法において、前記無線ステーションに対応するＡＡＡデータを前記第１の分配システムスイッチから前記第２の分配システムスイッチへ通知することは、前記トンネリングされた第１の仮想ローカルエリアネットワークのデータを前記第１の分配システムスイッチ経由で前記無線ステーションに通知することに先行して行われる方法。
【請求項２４】
請求項２２に記載の方法において、前記無線ステーションに対応するＡＡＡデータを前記第１の分配システムスイッチから前記第２の分配システムスイッチへ通信することは、前記第２の分配システムスイッチから前記第１の分配システムスイッチへの前記第１の仮想ローカルエリアネットワークのトンネリングに先行して行われる方法。
【請求項２５】
請求項２１に記載の方法であって、
前記無線ステーションに対応する前記ＡＡＡデータを、前記第１の分配システムスイッチにて蓄積することをさらに含む方法。
【請求項２６】
請求項１９に記載の方法であって、前記無線ステーションに対応するＡＡＡデータを前記第２分配システムスイッチへ転送することをさらに含む方法。
【請求項２７】
請求項１９に記載の方法であって、トンネリングは、レイヤー２仮想ローカルエリアネットワークデータのレイヤー３トンネリングを含む方法。
【請求項２８】
前記第１のアクセスポイントが前記無線ローカルエリアネットワークの前記第１の分配システムスイッチに接続されている場合における請求項１９に記載の方法であって、
前記無線ステーションが前記無線ローカルエリアネットワークの前記第１のアクセスポイント経由で前記第１の仮想ローカルエリアネットワークとの通信を試みることを探知する方法。
【発明の詳細な説明】
【背景技術】
【０００１】
透明性ある移動は、パケット損失なしで、ステーションユーザにとって認識できる遅延なしで、及び／又は、セッション連続性の損失なしで、無線アクセスポイント間の無線ステーションのハンドオフを可能にする。アクセスポイント間におけるステーションの透明性ある移動を可能にすることは、インターアクセス・ポイント・プロトコル（ＩＡＰＰ）の目標である。
【発明の開示】
【発明が解決しようとする課題】
【０００２】
しかしながら、ＩＡＰＰは、長い間、ＩＥＥＥ標準８０２．１１ｆ非認定草案の段階にあった。加えて、８０２．１１ｆにおける分配システムに対する関心の欠如に起因して、８０２．１１ｆサポートは、アクセスポイント間における透明性ある移動にとって必要な全ての属性が不明確であり、モバイルＶＬＡＮサポートに関しては非常に好ましくない。このようにして、モバイルステーションのユーザにより利用されるＶＬＡＮについてのサポートを維持すると同時に、アクセスポイント間の透明性ある移動を可能にすることが望まれている。
【課題を解決するための手段】
【０００３】
透明性ある移動は、アクセスポイント間の、バックアップされたパケット及び／又は認証（Authentication）、許可（Authorization）、課金（Accounting）（以上「ＡＡＡ」という。以下同じ。）データを含む、セッションデータ通信によって、及び／又は、アクセスポイントを管理する分配システム間でＶＬＡＮデータをトンネリングする通信によって可能となる。
【０００４】
キーのようなＡＡＡデータをアクセスポイント間で通信することは、この通信を行なわない場合にハンドオフされたステーションの再認証を行う新しいアクセスポイントにおいて費やされる時間を排除することによって、古いアクセスポイントから新しいアクセスポイントへの高速なステーションハンドオフを可能にする一つの要素である。
【０００５】
加えて、分配システムスイッチ間に、トンネルが自動的に生成される。ＶＬＡＮデータは、分配システムのスイッチ間で実質的にトンネルされる。関連性のあるＶＬＡＮは、分配システムの各スイッチ上というよりは分配システムのいくつかのスイッチ上にのみ構成されるので、ＶＬＡＮデータをトンネルすることは、また、分配システムスイッチの構成をも簡単にする。分配システムの全てのスイッへＶＬＡＮデータをブロードキャストすることに比べて、ＶＬＡＮデータを正しい分配システムスイッチからトンネリングすることは、帯域幅も節約する。
【発明を実施するための最良の形態】
【０００６】
図１に、ＷＬＡＮ１００の配置例を示す。分配システム１１０は、第１の分配システムスイッチＤＳ１（１１２）と、第２の分配システムスイッチＤＳ２（１１４）と、第１の分配システムスイッチＤＳ１（１１２）及び第２の分配システムスイッチＤＳ２（１１４）に接続された分配システムバックボーン１１６とを含む。いくつかの実施形態において、この分配システムスイッチは、少なくともいくつかのポート上の疎らなアクセスポイントをサポートする。第１の拡張サービスセットネットワークＥＳＳ１（１２０）は、第１の分配システムスイッチＤＳ１（１１２）と、アクセスポイントＡＰ１Ａ（１２２）と、アクセスポイントＡＰ１Ｂ（１２４）と、アクセスポイントＡＰ１Ｃ（１２６）と、ステーション１２８とを含む。アクセスポイントＡＰ１Ａ１２２と、アクセスポイントＡＰ１Ｂ１２４、アクセスポイントＡＰ１Ｃ１２６とは、配線されたリンク１７２、１７４、及び１７６によって、第１の分配システムスイッチＤＳ１（１１２）にそれぞれ接続されている。ステーション１２８及びアクセスポイントＡＰ１Ａ１２２は、無線リンク１９２経由で接続されており、第１の基本サービスセットネットワークＢＳＳ１（１４０）を形成する。第２の拡張サービスセットネットワークＥＳＳ２（１３０）は、第２の分配システムスイッチＤＳ２（１１４）と、アクセスポイントＡＰ２Ａ（１３２）と、アクセスポイントＡＰ２Ｂ（１３４）と、アクセスポイントＡＰ２Ｃ（１３６）と、ステーション１３８とを含む。アクセスポイントＡＰ２Ａ（１３２）と、アクセスポイントＡＰ２Ｂ（１３４）と、アクセスポイントＡＰ２Ｃ（１３６）とは、配線されたリンク１８２、１８４、及び１８６によって、第２の分配システムスイッチＤＳ２（１１４）にそれぞれ接続されている。ステーション１３８及びアクセスポイントＡＰ２Ｂ（１３４）は、無線リンク１９４経由で接続されており、第２の基本サービスセットネットワークＢＳＳ２（１５０）を形成する。ステーション１６０は、第１の拡張サービスセットネットワークＥＳＳ１（１２０）のアクセスポイントＡＰ１Ｃ（１２６）と第２の拡張サービスセットネットワークＥＳＳ２（１３０）のアクセスポイントＡＰ２Ａ（１３２）との間で、ハンドオフされる過程の中にあり、それゆえに、アクセスポイントＡＰ１Ｃ（１２６）及びアクセスポイントＡＰ２Ａ（１３２）への２つの無線リンク１９６及び１９８に、それぞれ組み合わされている。
【０００７】
多様な実施形態が示されている。示された各実施形態は、加える、取り除く、及び／又は、１又は複数の部分を変更する、及び／又は、１又は複数の部分を再配置するといった、修正が可能である。
【０００８】
異なる形式の「認識」を伴って、同一のクラスタにおける分配システムスイッチから、多様な形式のユーザローミングが起こりうる。
【０００９】
一事例において、同一クラスタ内の分配システムスイッチ間のローミングは、８０２．１１再連合を使用することができる。再連合パケットは、そのユーザがローミングされてきた元のアクセスポイントのアドレスを含む。分配システムスイッチは、全てのアクセスポイントアドレス、及び、ＡＰが取り付けられたクラスタにおける特定の分配システムスイッチのリスト（事前に分配されうる）を持つ。「ローミングされる先の」分配システムスイッチは、「ローミングされてきた元の」分配システムスイッチと直接交信することができる。
【００１０】
他の事例において、ユーザは、８０２．１１連合パケットを送信することができる。分配システムスイッチは、ユーザが既知であるかを問い合わせして、他の全てのクラスタメンバにメッセージを送信することができる。（再連合パケットを送信しない、壊れたクライアントは実際にどのように動作するか）（ユーザがシステムに入る度に、ブロードキャストせよ）
【００１１】
図２に、移動している無線ステーションの探知に応答する分配システムスイッチ間のＶＬＡＮトンネリングを含む、無線ローカルエリアネットワーク方法を示す。
【００１２】
２１０において、ＡＡＡデータは、無線ステーションに対応して生成される。これは、第１の仮想ローカルエリアネットワークのデータを第１の仮想ローカルエリアネットワークに接続された第１分配システムスイッチ経由で無線ステーションに通知することに対して、少なくとも一部が先行して行われる。無線ステーションに対応するＡＡＡデータは、第１の分配システムスイッチにて蓄積できる。無線ステーションに対応するＡＡＡデータは、第２の分配システムスイッチへ転送されうる。第２の分配システムスイッチは、無線ステーションが移動する先のアクセスポイントに接続されている。
【００１３】
ＡＡＡデータは、キーなどの認証データ、アクセスリストやＶＬＡＮ連合情報（つまり、ネットワークセキュリティのため）、及びユーザが特定の分配システムスイッチ及び／又はアクセスポイントに対する接続を許可されているか否かといった認証データ、そして、ローミング、送信した総パケット、エラーパケット等を含む完全又は不完全なセッション履歴といった課金データ、を含む。
【００１４】
２２０において、第１の仮想ローカルエリアネットワークのデータは、第１分配システムスイッチ経由で無線ステーションに通知される。これは、無線ステーションが第１のアクセスポイントの第１の無線エリアから第２のアクセスポイントの第２の無線エリアへ移動することに対し、少なくとも一部先行して行われる。この第１のアクセスポイントおよび第２のアクセスポイントの両方が、無線ローカルエリアネットワークに所属する。
【００１５】
２３０において、移動している無線ステーションが探知される。さらに詳細には、この無線ステーションが無線ローカルエリアネットワーク内で移動していることが探知される。この移動は、第１の無線エリアから第２の無線エリアへの移動である。この第１の無線エリアは第１のアクセスポイントに対応するので、第１の無線エリアにある無線ステーションは第１のアクセスポイントに関連させることができる。この第２の無線エリアは第２のアクセスポイントに対応するので、第２の無線エリアにある無線ステーションは第２のアクセスポイントに関連させることができる。第１の無線エリア及び第２の無線エリアは、部分的に又は完全に重なり合い、及び／又は、重なり合わない。第１のアクセスポイント及び第２のアクセスポイントは、共に、無線ローカルエリアネットワークのアクセスポイントである。この移動の探知は、移動の論理的探知であってもよい。例えば、第２のアクセスポイントは、無線ステーションとの通信が成功したとき、無線ステーションの移動が探知されたことを伝えられる。この移動の探知は、物理的なものであってもよい。例えば、この無線ステーションの移動は、無線ステーションの電磁放射の測定に基づいて探知することができる。
【００１６】
無線ローカルエリアネットワークは、相互接続された分配システム、並びに、第１のアクセスポイント、第２のアクセスポイントといった複数のアクセスポイントを含むことができる。相互接続された分配システムは、第１の分配システムスイッチ及び第２の分配システムスイッチといった、複数の分配システムスイッチを含むことができる。第１の分配システムスイッチは、第１のアクセスポイントに接続されている。第２の分配システムスイッチは、第２のアクセスポイントに接続されている。
【００１７】
無線ステーションは、少なくとも、無線ローカルエリアネットワークの第１の仮想ローカルエリアネットワークに対応する。例えば、この無線ステーションの１又は複数のユーザは、第１の仮想ローカルエリアネットワークのユーザである場合がある。第１の仮想ローカルエリアネットワークは、少なくとも第１の分配システムスイッチに接続されている。
【００１８】
２４０において、無線ローカルエリアネットワーク内で移動している無線ステーションに応答して、第１の仮想ローカルエリアネットワークは、第２の分配システムスイッチにトンネリングされる。いくつかの実施形態において、かかるトンネリングは、第２の分配システムスイッチが第１の仮想ローカルエリアネットワークに接続されていない場合に発生する。トンネリングの一形式として、レイヤー２仮想ローカルエリアネットワークデータのレイヤー３トンネリングが含まれる。トンネリングには、第２の分配システムスイッチ経由で無線ステーションへ第１の仮想ローカルエリアネットワークのデータを通知することが含まれる。これは、無線ステーションが第１の無線エリアから第２の無線エリアへ移動するよりも、少なくとも部分的に後に発生するようにすることができる。トンネリングには、第１の分配システムスイッチからの、及び／又は、第３の分配システムスイッチからの第１の仮想ローカルエリアネットワークのトンネリングが含まれる。第３の分配システムスイッチは、第１の分配システムスイッチ及び第２の分配システムスイッチと共に、相互接続された分配システムの一部とすることができる。第３の分配システムスイッチは、第１の仮想ローカルエリアネットワークに接続されている。
【００１９】
図３に、移動している無線ステーションの探知に応答する分配システムスイッチ間のＡＡＡデータ転送を含む、無線エリアネットワーク方法の他の実施形態を示す。
【００２０】
３１０において、第１の仮想ローカルエリアネットワークのデータは、第１の分配システムスイッチ経由で無線ステーションへ通知される。これは、第１のアクセスポイントの第１の無線エリアから第２のアクセスポイントの第２の無線エリアへ移動する無線ステーションに、少なくとも部分的に先行して行われる。第１のアクセスポイント及び第２のアクセスポイントは、共に、無線ローカルエリアネットワークに所属する。
【００２１】
３２０において、移動している無線ステーションが探知される。より詳細には、無線ステーションが無線ローカルエリアネットワーク内で移動する状態が探知される。この移動は、第１の無線エリアから第２の無線エリアへの移動である。第１の無線エリアは第１のアクセスポイントに対応するので、第１の無線エリアにおける無線ステーションは第１のアクセスポイントに関連させられる。第２の無線エリアは第２のアクセスポイントに対応するので、第２の無線エリアにおける無線ステーションは第２のアクセスポイントに関連させられる。第１の無線エリア及び第２の無線エリアは、部分的に又は完全に重なり合い、及び／又は、重なり合わない。第１のアクセスポイント及び第２のアクセスポイントは、共に、無線ローカルエリアネットワークのアクセスポイントである。この移動の探知は、移動の論理的探知とすることができる。例えば、第２のアクセスポイントは、無線ステーションとの通信が成功したとき、無線ステーションの移動が探知されたことを伝えられる。この移動の探知は、物理的なものであってもよい。例えば、この無線ステーションの移動は、無線ステーションの電磁放射の測定に基づいて探知することができる。
【００２２】
無線ローカルエリアネットワークは、相互接続された分配システム、並びに、第１のアクセスポイント、第２のアクセスポイントといった複数のアクセスポイントを含むことができる。相互接続された分配システムは、第１の分配システムスイッチ及び第２の分配システムスイッチといった、複数の分配システムスイッチを含むことができる。第１の分配システムスイッチは、第１のアクセスポイントに接続されている。第２の分配システムスイッチは、第２のアクセスポイントに接続されている。
【００２３】
無線ステーションは、少なくとも、無線ローカルエリアネットワークの第１の仮想ローカルエリアネットワークに対応する。例えば、この無線ステーションの１又は複数のユーザは、第１の仮想ローカルエリアネットワークのユーザとすることができる。第１の仮想ローカルエリアネットワークは、少なくとも第１の分配システムスイッチ及び第１の分配システムスイッチに接続されている。
【００２４】
３３０において、無線ローカルエリアネットワーク内を移動している無線ステーションに応答して、この無線ステーションに対応するＡＡＡデータが、第２の分配システムスイッチに転送される。無線ステーションに対するＡＡＡデータは、第１の分配システムスイッチに蓄積することができる。いくつかの実施形態において、無線ステーションに対応するＡＡＡデータは、第１の仮想ローカルエリアネットワークのデータを第１の分配システムスイッチ経由で無線ステーションへ通知することに、少なくとも部分的に先行して生成される。
【００２５】
３４０において、第１の仮想ローカルエリアネットワークのデータは、第２の分配システムスイッチ経由で無線ステーションに通知される。これは、無線ステーションが第１の無線エリアから第２の無線エリアへ移動するよりも、少なくとも部分的に後に行われる。いくつかの実施形態において、無線ステーションに、第２の分配システムスイッチ経由で第１のローカルエリアネットワークのデータを通知することは、第１の分配システムスイッチ経由でデータを通知することなしに行われる。
【００２６】
図４に、分配システムスイッチ間のＶＬＡＮ及びＶＬＡＮトンネリングに接続及び非接続の分配システムスイッチを認識することを含む、無線ローカルエリアネットワーク方法の他の実施形態を示す。
【００２７】
４１０において、通信を試みている無線ステーションが探知される。通信の試みの探知は、論理的及び／又は物理的な探知とすることができる。より詳細には、無線ステーションが第１のアクセスポイント経由で第１の仮想ローカルエリアネットワークとの通信を試みていることが探知される。第１のアクセスポイントは、無線ローカルエリアネットワークのアクセスポイントである。第の１アクセスポイントは、無線ローカルエリアネットワークの第１の分配システムスイッチに接続される。
【００２８】
通信を試みる無線ステーションに応答して、１又は複数のイベントが発生しうる。
【００２９】
４２０において、無線ステーションに対応するＡＡＡデータが生成される。無線ステーションに対応するＡＡＡデータは、第１の分配システムスイッチにて蓄積されうる。
【００３０】
４３０において、第１の分配システムスイッチは第１の仮想ローカルエリアネットワークに接続されていないことが認識される。
【００３１】
４４０において、第２の分配システムスイッチは第１の仮想ローカルエリアネットワークに接続されていることが認識される。この第１の分配システムスイッチ及び第２の分配システムスイッチは、無線ローカルエリアネットワークの相互接続された分配システムの少なくとも一部である。無線ステーションに対応するＡＡＡデータは、第２の分配システムスイッチに転送することができる。例えば、無線ステーションに対応するＡＡＡデータは、第１の分配システムスイッチから第２の分配システムスイッチへ通知することができる。
【００３２】
４５０において、第１の仮想ローカルエリアネットワークが、第２の分配システムスイッチから第１の分配システムスイッチへトンネリングされる。これは、第１の分配システムスイッチから第２の分配システムスイッチへ、無線ステーションに対応するＡＡＡデータを通知した後に行われる。このトンネリングは、レイヤー２仮想ローカルエリアネットワークデータのレイヤー３トンネリングを含む。
【００３３】
４６０において、トンネリングされた第１の仮想ローカルエリアネットワークのデータは、第１の分配システムスイッチ経由で無線ステーションに通知される。これは、無線ステーションに対応するＡＡＡデータが、第１の分配システムスイッチから第２の分配システムスイッチへ通知された後に行われる。
【００３４】
図５Ａ、５Ｂ、５Ｃに、ＶＬＡＮトンネリング及びＡＡＡデータ転送を伴った実施形態の例を示す。
【００３５】
図５Ａにおいて、無線ステーション５１０は、アクセスポイント１（５２０）との無線リンクを形成する。アクセスポイント１（５２０）は、分配システムスイッチ１（５３０）に接続される。無線ステーション５１０に対応するＡＡＡデータ５４０は、分配システムスイッチ１（５３０）に存在する。無線ステーション５１０は、分配システムスイッチ１（５３０）に接続されたＶＬＡＮ５５０に連合される
【００３６】
図５Ｂにおいて、無線ステーション５１０は移動して、他のアクセスポイント２（５６０）との無線リンクを形成する。アクセスポイント２（５６０）は、分配システムスイッチ２（５７０）に接続されている。無線ステーション５１０に対応するＡＡＡデータ５４０は、分配システムスイッチ２（５７０）に存在する。ＡＡＡデータ５４０は、分配システムスイッチ１（５３０）から転送されてきたものである。分配システムスイッチ２（５７０）はＶＬＡＮ５５０には接続されていないので、ＶＬＡＮ５５０は、分配システムスイッチ１（５３０）から分配システムスイッチ２（５７０）へトンネリングされる（５８０）。このトンネリング（５８０）は、新規に生成されたトンネリング又は既存のトンネリングである。これは、レイヤー２ＶＬＡＮのレイヤー３トンネリングであってもよい。
【００３７】
それゆえ、図５Ａ及び５Ｂは、着目されたＡＡＡデータのＶＬＡＮ接続を伴った、分配システムスイッチ１（５３０）から分配システムスイッチ２（５７０）への無線ステーション５１０のシームレスなローミングを示す。
【００３８】
図５Ｃに、図５Ｂの代替例を示す。分配システムスイッチ１（５３０）から分配システムスイッチ２（５７０）への無線ステーション５１０のシームレスなローミングは、ＶＬＡＮトンネル（５８０）が分配システム１（５３０）からのものであるべきことを要求していない。分配システムスイッチ１（５３０）、分配システムスイッチ２（５７０）、及び分配システムスイッチ３（５９０）は、一部分は、どのＶＬＡＮがどの分配システムスイッチに接続されているかについての情報を互いに共有しているクラスタである。ＶＬＡＮ５５０は、分配システムスイッチ１（５３０）と分配システムスイッチ３（５９０）との両方に接続されている。無線ステーション５１０が分配システムスイッチ１（５３０）から分配システムスイッチ２（５７０）へローミングしたときには、次に、ＶＬＡＮ５５０が、分配システムスイッチ３（５９０）から分配システムスイッチ２（５７０）へトンネリングされる（５８０）。
【００３９】
クラスタは、同一のクラスタにおける他の分配システムスイッチと共に、他の分配システムスイッチの既知のＩＰアドレス、及び／又は、結びついているアクセスポイントのアドレスといった、同一のクラスタにおける他の分配システムスイッチについての情報をも共有できる。
【００４０】
図６Ａ及び６Ｂに、ＶＬＡＮトンネリングを伴うが、ＡＡＡ転送を伴わない実施形態の例を示す。
【００４１】
図６Ａにおいて、分配システムスイッチ１（６３０）は、そのクラスタ内の他の分配システムから、どのＶＬＡＮがどの分配システムスイッチに接続されているかを見いだす。分配システムスイッチ１（６３０）は、これによって、ＶＬＡＮ６５０が分配システムスイッチ２（６７０）に接続されているという情報を持つ。無線ステーション６１０は、分配システムスイッチ１（６３０）に接続されたアクセスポイント６２０との無線リンクを形成する。分配システムスイッチ１（６３０）は、無線ステーション６１０はＶＬＡＮ６５０に接続されるべきであることをＡＡＡデータ６４０から判断する。
【００４２】
図６Ｂにおいて、分配システムスイッチ１（６３０）は、ＶＬＡＮ６５０に接続されていないこと、及び、分配システムスイッチ２（６７０）がＶＬＡＮ６５０に接続されていること、を認識する。ＶＬＡＮトンネル（６８０）は、ＶＬＡＮ６５０に対し、分配システムスイッチ２（６７０）から分配システムスイッチ１（６３０）まで使用される。
【００４３】
図６Ａ及び６Ｂの結論において、無線ステーション６１０は、分配システムスイッチ１（６３０）との無線リンク、及びＶＬＡＮ６５０への接続を形成する。
【００４４】
図７Ａ及び７Ｂに、ＡＡＡ転送を伴うが、ＶＬＡＮトンネリングは伴わない実施形態の例を示す。
【００４５】
図７Ａにおいて、無線ステーション７１０は、分配システムスイッチ１（７３０）に結合されたアクセスポイント７１０との無線リンクを形成する。無線ステーション７１０は、分配システムスイッチ１（７３０）にあるＡＡＡ状態７４０を持つ。無線ステーション７１０は、分配システムスイッチ１（７３０）に結合されたＶＬＡＮ７５０に関連させられている。
【００４６】
図７Ｂにおいて、無線ステーション７１０は、分配システムスイッチ２（７７０）に結合されたアクセスポイント２（７６０）へローミングする。分配システムスイッチ２（７７０）は、無線ステーション７１０が分配システムスイッチ１（７３０）に接続されたアクセスポイントからきたことを認識する。無線ステーション７１０に対するＡＡＡ状態は、分配システムスイッチ７３０から転送される。ＶＬＡＮ７５０は既に分配システムスイッチ２（７７０）に接続されているので、いかなるＶＬＡＮトンネリングも発生しない。
【００４７】
他の実施形態において、無線ステーションは、第１の分配システムスイッチに接続された第１のアクセスポイントとの無線接続を形成する。ユーザが、第２の分配システムスイッチに接続された第２のアクセスポイントへローミングすると、パケットが第１のアクセスポイントに到達し、例えば、第１のアクセスポイント及び／又は第１の分配システムスイッチ上の待ち行列に入れられる。ユーザが、第２の分配システムスイッチへのローミングを完了すると、パケットは待ち行列から取り出され、第２の分配システムスイッチに結合された第２のアクセスポイント上のユーザにについての送信待ち行列に挿入される。
【図面の簡単な説明】
【００４８】
【図１】ＷＬＡＮの配置例を示す。
【図２】移動する無線ステーションの探知に応答して分配システムスイッチ間をトンネルするＶＬＡＮを含む、無線ローカルエリアネットワーク方法の実施形態を示す。
【図３】移動する無線ステーションの探知に応答して分配システムスイッチ間のＡＡＡデータ転送を含む、無線ローカルエリアネットワーク方法の他の実施形態を示す。
【図４】分配システムスイッチ間のＶＬＡＮ及びＶＬＡＮトンネリングに接続及び非接続の分配システムスイッチを認識知ることを含む、無線ローカルエリアネットワーク方法の他の実施形態を示す。
【図５Ａ】ＶＬＡＮトンネリング及びＡＡＡデータ転送を伴った実施形態の例を示す。
【図５Ｂ】ＶＬＡＮトンネリング及びＡＡＡデータ転送を伴った実施形態の例を示す。
【図５Ｃ】ＶＬＡＮトンネリング及びＡＡＡデータ転送を伴った実施形態の例を示す。
【図６Ａ】ＶＬＡＮトンネリングを伴うがＡＡＡデータ転送を伴わない実施形態の例を示す。
【図６Ｂ】ＶＬＡＮトンネリングを伴うがＡＡＡデータ転送を伴わない実施形態の例を示す。
【図７Ａ】ＡＡＡデータ転送を伴うがＶＬＡＮトンネリングを伴わない実施形態の例を示す。
【図７Ｂ】ＡＡＡデータ転送を伴うがＶＬＡＮトンネリングを伴わない実施形態の例を示す。
【符号の説明】
【００４９】
１００  ＷＬＡＮ
１１０  分配システム
１１２  第１の分配システムスイッチ
１１４  第２の分配システムスイッチ
１１６  ＤＳバックボーン
５１０  ステーション
５２０  アクセスポイント１
５３０  スイッチ１
５４０  ＡＡＡ
５５０  ＶＬＡＮ
５６０  アクセスポイント２
５７０  スイッチ２
５８０  ＶＬＡＮトンネル
５９０  スイッチ３
６１０  ステーション
６２０  アクセスポイント
６３０  スイッチ１
６４０  ＡＡＡ
６５０  ＶＬＡＮ
６７０  スイッチ２
６８０  ＶＬＡＮトンネル
７１０  ステーション
７２０  アクセスポイント１
７３０  スイッチ１
７４０  ＡＡＡ
７５０  ＶＬＡＮ
７６０  アクセスポイント２
７７０  スイッチ２
【図１】
2007526685.tif 000002
【図２】
2007526685.tif 000003
【図３】
2007526685.tif 000004
【図４】
2007526685.tif 000005
【図５Ａ】
2007526685.tif 000006
【図５Ｂ】
2007526685.tif 000007
【図５Ｃ】
2007526685.tif 000008
【図６Ａ】
2007526685.tif 000009
【図６Ｂ】
2007526685.tif 000010
【図７Ａ】
2007526685.tif 000011
【図７Ｂ】
2007526685.tif 000012
【国際調査報告】
2007526685.tif 000013